【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
複数の第１の種類の枠と当該第１の種類の枠とは種類の異なる第２の種類の枠とを１つの画像に重畳して表示手段に表示する表示処理手段と、
前記表示手段に表示された前記第１の種類の枠および前記第２の種類の枠の中から１つの枠を選択する選択手段と、
前記選択手段が選択する枠を、現在選択している枠から他の枠に切り替える指示を受け付ける受付手段と、
前記受付手段によって前記指示を受け付けた際に、現在選択されている枠が前記第１の種類の枠であって、かつ該第１の種類の枠のうち所定の順序における最後の枠でない場合には、選択される枠を現在選択している枠から前記所定の順序における次の前記第１の種類の枠に切り替え、前記受付手段によって前記指示を受け付けた際に、現在選択されている枠が前記第１の種類のうち所定の順序における最後の枠であった場合には、選択される枠を現在選択している枠から前記第２の種類の枠に切り替えるように制御する制御手段と
を有することを特徴とする表示制御装置。
【請求項２】
前記選択された枠を他の枠とは識別可能な表示形態で表示するように前記表示処理手段を制御する表示制御手段を更に有することを特徴とする請求項１に記載の表示制御装置。
【請求項３】
前記種類の異なる複数第１の種類の枠は、撮影時に合焦した位置を示す合焦枠あるいは画像中から顔が検出された位置を示す顔枠の何れか一方であり、前記第２の種類の枠は、前記合焦枠あるいは前記顔枠のうち前記第１の種類の枠とは異なる種類の枠であることを特徴とする請求項１または２に記載の表示制御装置。
【請求項４】
前記選択手段が最初に選択する枠は、前記合焦枠であることを特徴とする請求項３に記載の表示制御装置。
【請求項５】
前記選択手段は、表示する画像に付与された属性情報に基づいて最初に選択する枠の種類を決めることを特徴とする請求項３に記載の表示制御装置。
【請求項６】
前記属性情報は、表示する画像に付与されたタグ情報であることを特徴とする請求項５に記載の表示制御装置。
【請求項７】
前記タグ情報が人物タグである場合は、前記選択手段は、最初に前記顔枠を選択することを特徴とする請求項６に記載の表示制御装置。
【請求項８】
前記選択手段は、表示する画像を撮像した際の撮像装置の撮影モードに基づいて最初に選択する枠の種類を決めることを特徴とする請求項３に記載の表示制御装置。
【請求項９】
前記撮影モードがポートレートモードである場合は、前記選択手段は、最初に前記顔枠を選択することを特徴とする請求項８に記載の表示制御装置。
【請求項１０】
前記選択手段は、表示する画像を撮像した際の撮像装置のＡＦモードに基づいて最初に選択する枠の種類を決めることを特徴とする請求項３に記載の表示制御装置。
【請求項１１】
前記ＡＦモードが顔優先ＡＦの場合は、前記選択手段は、最初に前記顔枠を選択することを特徴とする請求項１０に記載の表示制御装置。
【請求項１２】
前記ＡＦモードが顔優先ＡＦ以外であり、かつＡＦ時と撮影時の間に画角が変化して撮影されたと判断される場合には、前記選択手段は、最初に前記顔枠を選択することを特徴とする請求項１０に記載の表示制御装置。
【請求項１３】
表示する画像が顔優先ＡＦ時に特定の顔に追従する特殊モードで撮影された画像である場合は、前記選択手段は、最初に前記合焦枠を選択することを特徴とする請求項１０に記載の表示制御装置。
【請求項１４】
前記表示処理手段はさらに、前記選択手段に選択されている枠が示す前記画像の一部を拡大した画像を前記画像と同一の画面上に表示することを特徴とする請求項１乃至１３のいずれか１項に記載の表示制御装置。
【請求項１５】
前記第１の種類の枠の移動が終了した後、前記第２の種類の枠への移動に遷移することを特徴とする請求項１に記載の表示制御装置。
【請求項１６】
当該表示制御装置は、撮影モードと再生モードとを有する撮像装置であって、
前記再生モードにおいて前記選択される枠の切り替えが可能なことを特徴とする請求項１乃至１５のいずれか１項に記載の表示制御装置。
【請求項１７】
当該表示制御装置は、撮影モードと再生モードとを有する撮像装置であって、
前記撮影モードにおける撮影画像の確認の際に前記選択される枠の切り替えが可能なことを特徴とする請求項１乃至１５のいずれか１項に記載の表示制御装置。
【請求項１８】
前記受付手段は、前記指示を、単一の操作部材に対する操作によって受け付けることを特徴とする請求項１乃至１７のいずれか１項に記載の表示制御装置。
【請求項１９】
複数の第１の種類の枠と当該第１の種類の枠とは種類の異なる第２の種類の枠とを１つの画像に重畳して表示手段に表示する表示処理手段と、
前記表示手段に表示された前記第１の種類の枠および前記第２の種類の枠の中から１つの枠を選択する選択手段と、
前記選択手段が選択する枠を、現在選択している枠から他の枠に切り替える指示を受け付ける受付手段と、
前記受付手段によって前記指示を受け付けた際に、現在選択されている枠が前記第１の種類の枠であって、かつ該第１の種類の枠のうち所定の順序における最後の枠でない場合には、選択される枠を現在選択している枠から前記所定の順序における次の前記第１の種類の枠に切り替え、前記受付手段によって前記指示を受け付けた際に、現在選択されている枠が前記第１の種類のうち所定の順序における最後の枠であった場合には、選択される枠を現在選択している枠から前記第２の種類の枠に切り替えるように制御する制御手段と
を有することを特徴とする表示制御装置表示制御装置の制御方法。
【請求項２０】
コンピュータを、請求項１乃至１８のいずれか１項に記載された表示制御装置の各手段として機能させるプログラム。
【請求項２１】
コンピュータを、請求項１乃至１８のいずれか１項に記載された表示制御装置の各手段として機能させるプログラムを格納した記憶媒体。
【手続補正２】
【補正対象書類名】明細書
【補正対象項目名】発明の名称
【補正方法】変更
【補正の内容】
【発明の名称】表示制御装置及びその制御方法
【手続補正３】
【補正対象書類名】明細書
【補正対象項目名】０００１
【補正方法】変更
【補正の内容】
【０００１】
本発明は、静止画像や動画像を再生可能な表示制御装置及びその制御方法に関する。
【手続補正４】
【補正対象書類名】明細書
【補正対象項目名】０００９
【補正方法】変更
【補正の内容】
【０００９】
上記課題を解決するために、本発明は、複数の第１の種類の枠と当該第１の種類の枠とは種類の異なる第２の種類の枠とを１つの画像に重畳して表示手段に表示する表示処理手段と、
前記表示手段に表示された前記第１の種類の枠および前記第２の種類の枠の中から１つの枠を選択する選択手段と、
前記選択手段が選択する枠を、現在選択している枠から他の枠に切り替える指示を受け付ける受付手段と、
前記受付手段によって前記指示を受け付けた際に、現在選択されている枠が前記第１の種類の枠であって、かつ該第１の種類の枠のうち所定の順序における最後の枠でない場合には、選択される枠を現在選択している枠から前記所定の順序における次の前記第１の種類の枠に切り替え、前記受付手段によって前記指示を受け付けた際に、現在選択されている枠が前記第１の種類のうち所定の順序における最後の枠であった場合には、選択される枠を現在選択している枠から前記第２の種類の枠に切り替えるように制御する制御手段とを有することを特徴とする。